(57)【特許請求の範囲】
【請求項１】
検眼テーブルを挟んで被検者と検者が対座して被検眼の検査を行う検眼装置において、１つの筐体内に検眼距離の異なる複数種の視標を配置し、各視標を各検眼距離に対応させてそれぞれ異なる光路で被検眼に向けて投影する視標呈示装置と、該視標呈示装置を遠用検査時の被検眼の視線方向に沿って移動可能に載置する視標テーブルと、コントロールユニットを載置する載置台を持ち、テーブルに固定された支持アームに対して移動可能に載置台を保持するコントロールユニット移動手段と、を備えることを特徴とする検眼装置。
【請求項２】
検眼テーブルを挟んで被検者と検者が対座して被検眼の検査を行う検眼装置において、１つの筐体内に複数種の視標を配置し、視標を所定の検眼距離に対応させて被検眼に向けて投影する視標呈示装置と、コントロールユニットを載置し移動する載置台であって、テーブルに固定された支持アームに、コントロールユニットが載せられる保持板に取り付けられた保持板アームを移動可能に保持するとともに、保持板の下側にローラが設けられたコントロールユニット載置台と、を備えることを特徴とする検眼装置。
【発明の詳細な説明】
【０００１】
【産業上の利用分野】
本発明は、視標呈示装置を検眼テ−ブル上に搭載した検眼装置に関する。
【０００２】
【従来の技術】
視力検査装置は、裸眼または矯正された被検眼に検査用視標を呈示する装置であるが、検査用視標は被検眼から所定の検眼距離にあるように設計される。検眼距離には遠用距離・近用距離・中間距離があるが、この検眼距離は実際の直線距離または光学的距離として確保される。
被検眼が装置内部を覗き見る方式のものでは、同一の装置内に遠用距離・近用距離・中間距離と光学的に検眼距離を変えて検査用視標を被検眼に呈示する装置が知られている。
器械近視を避けるために自然視に近い状態で検査する装置では、遠用距離や近用距離の各検査用視標は通常別個な呈示機構により呈示される。
【０００３】
【発明が解決しようとする課題】
被検眼が装置内部を覗き見る方式の装置は、コンパクトな装置であるという利点を持つが、器械近視の影響により測定精度に問題がある。
遠方や近方の各検査用視標を別個な呈示機構により呈示する装置は、日常的な視環境に近い状態での遠方視力検査ができる反面、操作が煩雑でかつ大型な装置になるという欠点がある。
【０００４】
本発明の目的は、器械近視の影響を小さく抑えることができるとともに、使い勝手の良い検眼装置を提供することにある。
【０００５】
【課題を解決するための手段】
上記課題を解決するために、本発明は次のような構成を有することを特徴とする。
（１）  検眼テーブルを挟んで被検者と検者が対座して被検眼の検査を行う検眼装置において、１つの筐体内に検眼距離の異なる複数種の視標を配置し、各視標を各検眼距離に対応させてそれぞれ異なる光路で被検眼に向けて投影する視標呈示装置と、該視標呈示装置を遠用検査時の被検眼の視線方向に沿って移動可能に載置する視標テーブルと、コントロールユニットを載置する載置台を持ち、テーブルに固定された支持アームに対して移動可能に載置台を保持するコントロールユニット移動手段と、を備えることを特徴とする。
【０００６】
（２）  検眼テーブルを挟んで被検者と検者が対座して被検眼の検査を行う検眼装置において、１つの筐体内に複数種の視標を配置し、視標を所定の検眼距離に対応させて被検眼に向けて投影する視標呈示装置と、コントロールユニットを載置し移動する載置台であって、テーブルに固定された支持アームに、コントロールユニットが載せられる保持板に取り付けられた保持板アームを移動可能に保持するとともに、保持板の下側にローラが設けられたコントロールユニット載置台と、を備えることを特徴とする。
【０００８】
【実施例】
以下、本発明の一実施例を図面に基づいて説明する。図１は実施例の装置を上から見た図、図２は検者の左側から見た側面図、図３は被検者側からみた図である。
本実施例の検眼装置は、被検者と検者との間に配置される第１検眼テ−ブル１、自覚的な屈折力測定装置２、他覚的な自動屈折力測定装置３、視標呈示装置４、屈折力測定装置２及び視標呈示装置４を操作するためのコントロ−ルユニット５、視標呈示装置４搭載用の第２検眼テ−ブル６から構成される。
図において、１０は被検者、１０ａは被検眼、１１は検者をそれぞれ示す。被検者１０と検者は検眼テ−ブル１を挟んで位置する。１ａは検眼テ−ブル１の天板である。
【０００９】
第１検眼テ−ブル１には被検眼１０ａの視線方向に伸びる天板６ａを備えた第２検眼テ−ブル６が隣接し、図１のようにＬ字型に連結されている。第１検眼テ−ブル１と第２検眼テ−ブル６の連結は、第２検眼テ−ブル６側のベ−ス１２から伸びる支柱１３に固着された連結板１４に第１検眼テ−ブル１の天板１ａの端部を載せ、ビス等により連結固定する。検眼テ−ブル１と検眼テ−ブル６は一体型のものであっても良いが、運搬や移動には実施例のように分離型のほうが有利である。
【００１０】
第１検眼テ−ブル１にはポ−ル２０が固設され、ポ−ル２０は軸２１を軸方向に移動可能に支持する。軸２１は屈折力測定装置２を吊り下げ保持するためのア−ム２２を支持する。ア−ム２２はポ−ル２０の軸回りに回旋可能であり、これにより自覚的屈折力測定装置２は測定位置と退避位置との間を旋回する。
【００１１】
第２検眼テ−ブル６には検眼レンズやその他検眼に使用する小物等を収納する多数の引き出し２５が設けられている。引き出し２５は検者の横に引き出されるように配置してあり、これにより検者は測定場所を移動することなく引き出し内部のものを取り出すことができる。
【００１２】
第２検眼テ−ブル６の上には視標呈示装置４が配置されるが、視標呈示装置４の構造を次に説明する。視標呈示装置４は図４に示すように、その筐体内に検査用視標（遠方視標  ５ｍ、中間視標  ５０ｃｍ、近方視標  ３０ｃｍ）、光学素子（ミラ−、凹面鏡、ビ−ムスプリッタ）を持つ。視標板３０ａに描かれた遠方視用視標は視標ランプ３１ａにより照明され、この視標光束はミラ−３２により上方に反射され、ビ−ムスプリッタ３３を透過した後、凹面ミラ−３４で反射する。凹面ミラ−３４は検眼距離をほぼ無限遠に延長する。凹面ミラ−３４で反射された光束はビ−ムスプリッタ３３で反射され、窓３５を介して被検眼に入射する。遠用検査では、被検者への圧迫感や機械近視の発生を抑えて精度良く検査するために、装置と被検眼は１ｍほどの距離離す。
【００１３】
視標板３０ｂに描かれた中間視標は視標ランプ３１ｂに照明され、視標板３０ｃに描かれた近方視標は視標ランプ３１ｃに照明される。中間視用検査及び近用検査では、装置と被検眼は検眼距離がそれぞれ５０ｃｍ及び３０ｃｍとなるように近付ける。なお、この視標呈示装置４の光学系は、本出願人による特願平６−２９０７４に詳細に記載されているものと基本的には同じであるのでこれを援用し、ここではその説明を省略する。
【００１４】
視標呈示装置４は被検眼の視線方向に沿って移動し、遠用検査と中間視用検査（及び近用検査）ではその位置を変える。視標呈示装置４を移動する構成は図５に示されている。３６は視標呈示装置４を載置するトレイであり、トレイ３６にはトレイア−ム３６ａが固着され、トレイア−ム３６ａは検眼テ−ブル６の天板６ａの側面を回り込み、天板６ａの裏側にある移動ガイド３７に連結している。移動ガイド３７は天板６ａの案内溝３８に沿って移動可能であり、またトレイ３６の底部にはロ−ラ３９が配置されているので、トレイ３６は移動ガイド３７及び案内溝３８に案内され、天板６ａ及び天板１ａ上を被検眼の視線方向に沿って移動する。トレイア−ム３６ａの内側には送信ケ−ブルや電源ケ−ブルが保持されており、ケ−ブルを外部に露出しない。
【００１５】
この構成により、視力検査装置４は遠方視用視標を呈示するときの最奥位置と、中間視及び近方視用視標を呈示するときの被検眼眼前近くの位置（図１上の点線で示す位置）との間を移動できる。なお、トレイ３６は遠方視力測定位置と近方視力測定位置においては不図示のロック機構により固定される。
自動屈折力測定装置３もトレイ３６と同じ移動機構を持つトレイ５０に載置され、天板１ａ上を測定位置と退避位置との間で移動する。
【００１６】
さらに、コントロ−ルユニット５は載置台４０に載置され、天板１ａ及び天板６ａ上を移動する。図６は載置台４０の機構を説明するための図である。４１はコントロ−ルユニット５を保持する保持板であり、保持板４１には保持板ア−ム４２が伸びている。４３は連結板１９の下部に取り付けられた支持ア−ムであり、支持ア−ム４３の突出部４３ａには保持板ア−ム４２が回旋可能に支持されている。保持板４１の下部にはロ−ラ４４が設けられており、ロ−ラ４４が転動することにより保持板４１は突出部４３ａを中心にして天板１ａ及び天板６ａ上を移動する。
【００１７】
以上のような構成の装置において、視標呈示装置４を使用した検眼動作を中心に説明する。
被検者の遠方視力検査を行う場合は、視標呈示装置４を第２検眼テ−ブル６の最奥に位置させる。検者がコントロ−ルユニット５を操作して視標板３０ａ及び視標ランプ３１ａを駆動し遠方視用視標を呈示すると、被検眼は正面前方に視標を見ることができる。検者はコントロ−ルユニット５を操作して所望の視標を切換え呈示し、遠方視力の検査を行う。
自覚的屈折力測定装置２を使用した遠方視力の矯正検査は、自覚的屈折力測定装置２をア−ム２２とともに回転させ、被検眼眼前にその検査窓を位置させる。検査は、コントロ−ルユニット５を操作して自覚的屈折力測定装置２及び視標呈示装置４を駆動して行う。
【００１８】
次に、近方（または中間）視力検査を行う場合は、自覚的屈折力測定装置２を退避位置まで旋回する。検者は突出部４３ａを中心に保持板４１を回旋させ、コントロ−ルユニット５を第１検眼テ−ブル１上に移動する。次に、トレイ３０のロック機構を解除して視標呈示装置４を被検眼眼前の位置まで移動する。このときコントロ−ルユニット５が検眼テ−ブル６上に置かれている場合は、トレイ３０の移動によりコントロ−ルユニット５の載置台４０が押され、コントロ−ルユニット５は検眼テ−ブル１側に移動する。
【００１９】
続いて、検者はコントロ−ルユニット５を操作して視標呈示装置４の視標を近方・中間視標に切換える。視標板３０ｂに描かれた近方視標は視標ランプ３１ｂに，視標板３０ｃに描かれた近方視標は視標ランプ３１ｃにそれぞれ照明され、被検眼に呈示される。被検者は視線を動かすだけで、視標呈示装置４の窓から近方・中間視標を見ることができる。
【００２０】
なお、自動屈折力測定装置３による検査を行う場合は、視標呈示装置４は検眼テ−ブル６の最奥に位置させておき、自動屈折力測定装置３をトレイ５０とともに被検者の前に移動させて他覚屈折検査を行う。このときコントロ−ルユニット５が検眼テ−ブル１に置かれていた場合でも、載置台４０の移動機構によりコントロ−ルユニット５は検眼テ−ブル６側に押されて移動し、検査の邪魔になることはない。
【００２１】
【発明の効果】
以上説明したように、本発明の検眼装置によれば遠用視力検査において装置と被検眼の距離を十分確保できるので、器械近視の影響を小さく抑えることができるとともに検眼機器のコントロール部も移動可能としたので、操作性に優れた検眼装置が実現できる。
【図面の簡単な説明】
【図１】実施例の装置を上から見た図である。
【図２】実施例の装置を検者の左側から見た側面図である。
【図３】実施例の装置を被検者側からみた図である。
【図４】視標呈示装置４の構造を説明するための図である。
【図５】視標呈示装置４を移動する構成を示した図である。
【図６】載置台４０の機構を説明するための図である。
【符号の説明】
１  第１検眼テ−ブル
４  視標呈示装置
５  コントロ−ルユニット
６  第２検眼テ−ブル
３６  トレイ
【図１】
0003542178.tif 000002
【図２】
0003542178.tif 000003
【図３】
0003542178.tif 000004
【図４】
0003542178.tif 000005
【図５】
0003542178.tif 000006
【図６】
0003542178.tif 000007